(57)【要約】      （修正有）【課題】現場記録写真撮影に際し、レベルスタッフを人間の手によらず支持可能な写真用スタッフ立具および写真用スタッフ立具セットを提供する。【解決手段】現場記録撮影用のレベルスタッフを支持する写真用スタッフ立具１は、平板状の設置部２０と、設置部と垂直にレベルスタッフを保持することができる保持部とを有する。設置部と保持部は、折りたたみ可能に結合されている。また、写真用スタッフ立具セットは、そのような写真用スタッフ立具を複数有してなり、複数の写真用スタッフ立具の少なくとも一部において、保持部が取り付けられている設置部上の位置が異なっている。【選択図】図１
0003185862.tif 000002
【実用新案登録請求の範囲】
【請求項１】
現場記録撮影用のレベルスタッフを支持する写真用スタッフ立具において、
平板状の設置部と、前記設置部と垂直にレベルスタッフを保持することができる保持部とを有し、
前記設置部と前記保持部は、折りたたみ可能に結合されていることを特徴とする写真用スタッフ立具。
【請求項２】
前記保持部は、１対の保持スリットと、連結部とを有し、
前記１対の保持スリットは、それぞれコの字形断面を有する長尺状に形成され、開口部が相互に対向するように配置されて、前記連結部によって架橋され、
前記連結部には、ねじ穴が形成され、前記ねじ穴には、前記１対の保持スリットの間に挿入したレベルスタッフに当接可能なねじが挿入されていることを特徴とする請求項１に記載の写真用スタッフ立具。
【請求項３】
前記設置部と前記保持部には、折りたたんだ状態で相互に係合可能な係合部材が設けられていることを特徴とする請求項１または２に記載の写真用スタッフ立具。
【請求項４】
請求項１から３のいずれか１項に記載の写真用スタッフ立具を複数有してなり、
前記複数の写真用スタッフ立具の少なくとも一部において、前記保持部が取り付けられている前記設置部上の位置が異なることを特徴とする写真用スタッフ立具セット。
【考案の詳細な説明】
【技術分野】
【０００１】
本考案は、写真用スタッフ立具および写真用スタッフ立具セットに関し、さらに詳しくは、現場記録撮影用のレベルスタッフを支持する写真用スタッフ立具および写真用スタッフ立具セットに関する。
【背景技術】
【０００２】
工事現場においては、現場の管理、出来形管理などを目的として、現場記録写真が撮影される。現場記録写真の撮影に際し、寸法等の標準とするため、長尺状のレベルスタッフ（標尺）が地面等の設置面に垂直に立てられ、現場の状態ともに撮影される。
【考案の概要】
【考案が解決しようとする課題】
【０００３】
現場記録写真の撮影に際し、従来一般には、作業者がレベルスタッフを地面等の設置面に立て、手で支持していた。通常、３か所や５か所のように、複数の箇所にレベルスタッフを立てて現場写真を撮影するので、１枚の現場写真を撮影するのに、カメラを操作し撮影を行う作業者に加え、レベルスタッフの数だけ作業者が必要となる。例えば、図８に、５本のレベルスタッフＬ１〜Ｌ５を使用して道路Ｒの現場記録撮影を行っている様子を示すが、５本のレベルスタッフＬ１〜Ｌ５をそれぞれ作業者Ｍ１〜Ｍ５が支持している。このため、現場記録撮影のために多くの人員が必要となる。また、現場記録写真にレベルスタッフの数と等しい数の作業者が写り込み、現場記録写真における視界の妨げとなる。例えば図８では、作業員Ｍ１〜Ｍ５の背後に位置する対象は、現場記録写真に写らない。
【０００４】
本考案が解決しようとする課題は、現場記録写真撮影に際し、レベルスタッフを人間の手によらず支持可能な写真用スタッフ立具および写真用スタッフ立具セットを提供することにある。
【課題を解決するための手段】
【０００５】
上記課題を解決するために、本考案にかかる写真用スタッフ立具は、現場記録撮影用のレベルスタッフを支持する写真用スタッフ立具において、平板状の設置部と、前記設置部と垂直にレベルスタッフを保持することができる保持部とを有し、前記設置部と前記保持部は、折りたたみ可能に結合されていることを要旨とする。
【０００６】
ここで、前記保持部は、１対の保持スリットと、連結部とを有し、前記１対の保持スリットは、それぞれコの字形断面を有する長尺状に形成され、開口部が相互に対向するように配置されて、前記連結部によって架橋され、前記連結部には、ねじ穴が形成され、前記ねじ穴には、前記１対の保持スリットの間に挿入したレベルスタッフに当接可能なねじが挿入されていることが好ましい。
【０００７】
また、前記設置部と前記保持部には、折りたたんだ状態で相互に係合可能な係合部材が設けられているとよい。
【０００８】
本考案にかかる写真用スタッフ立具セットは上記のような写真用スタッフ立具を複数有してなり、前記複数の写真用スタッフ立具の少なくとも一部において、前記保持部が取り付けられている前記設置部上の位置が異なることを要旨とする。
【考案の効果】
【０００９】
上記考案にかかる写真用スタッフ立具によれば、保持部によってレベルスタッフを保持し、設置部を地面等の設置面に載置することで、設置面に垂直にレベルスタッフを立てることができる。人間がレベルスタッフを支持することは必要でない。また、保持部と設置部の間が折りたたみ可能であるので、写真用スタッフ立具の保管に要するスペースが少なくて済み、また携行時の取り扱いも便利である。
【００１０】
ここで、保持部が、１対の保持スリットと、連結部とを有し、１対の保持スリットは、それぞれコの字形断面を有する長尺状に形成され、開口部が相互に対向するように配置されて、連結部によって架橋され、連結部には、ねじ穴が形成され、ねじ穴には、１対の保持スリットの間に挿入したレベルスタッフに当接可能なねじが挿入されている構成によれば、１対の保持スリットの間にレベルスタッフを挿入し、ねじをレベルスタッフに当接させることで、簡素な構成で、レベルスタッフを安定に保持することができる。
【００１１】
また、設置部と保持部に、折りたたんだ状態で相互に係合可能な係合部材が設けられている場合には、写真用スタッフ立具を折りたたんだ状態で保持することができ、保管時や携行時の利便性がさらに増す。
【００１２】
本考案にかかる写真用スタッフ立具セットは、上記のような写真用スタッフ立具を複数有するので、複数のレベルスタッフを使用して現場記録写真を撮影するに際し、各レベルスタッフを人間が支持する必要がない。よって、撮影者１人で現場記録写真を撮影することができる。また、複数の写真用スタッフ立具の間で、保持部が取り付けられている設置部上の位置が異なることで、各レベルスタッフを設置する場所に応じて、写真用スタッフ立具を設置しやすいものとすることができる。
【図面の簡単な説明】
【００１３】
【図１】本考案の一実施形態にかかる写真用スタッフ立具を示す図であり、（ａ）は正面図、（ｂ）は背面図である。
【図２】上記写真用スタッフ立具を示す側面図である。
【図３】上記写真用スタッフ立具を示す上面図である（スプリング蝶番、ボールキャッチは省略）。
【図４】上記写真用スタッフ立具でレベルスタッフを支持した状態を示す図であり、（ａ）は正面図、（ｂ）は上面図である。
【図５】上記写真用スタッフ立具を折りたたんだ状態を示す斜視図である。
【図６】本考案の一実施形態にかかる写真用スタッフ立具セットを示す正面図であり、（ａ）は左側用スタッフ立具、（ｂ）は中央用スタッフ立具、（ｃ）は右側用スタッフ立具を示している。
【図７】上記写真用スタッフ立具セットの使用状態を示す正面図である。
【図８】従来一般の現場記録写真の撮影方法を示す正面図である。
【考案を実施するための形態】
【００１４】
以下、本考案の実施形態にかかる写真用スタッフ立具および写真用スタッフ立具セットについて、図面を参照しながら詳細に説明する。
【００１５】
＜写真用スタッフ立具＞
本考案の一実施形態にかかる写真用スタッフ立具１を図１〜５に示す。写真用スタッフ立具１は、道路工事、土木工事、建築工事などの工事現場において、現場の管理や出来形管理の際に使用されるレベルスタッフ（標尺）を地面等の設置面に立てて支持するものである。本明細書において、図１（ａ）で表された方向を写真用スタッフ立具１の正面側、図１（ｂ）で表された方向を背面側とする。そして、上下左右の各方向は、図１（ａ）の正面図における上下左右方向に従うものとする。
【００１６】
写真用スタッフ立具１は、保持部１０と設置部２０がスプリング蝶番３０によって結合されたものを主としてなる。保持部１０は、１対の保持スリット１１，１１と、上方連結部１２、下方連結部１３を有してなる。
【００１７】
それぞれの保持スリット１１は、スリット側面１１ａと、スリット前面１１ｂ、スリット後面１１ｃの３つの面よりなり、断面コの字形の長尺状部材として形成されている。つまり、スリット側面１１ａを挟んで相互に平行に対向して、スリット前面１１ｂとスリット後面１１ｃが形成されている。スリット前面１１ｂとスリット後面１１ｃの間の面間隔は、レベルスタッフの厚さと略等しくなっている。そして、スリット前面１１ｂとスリット後面１１ｃの間の空間が開口部１１ｄとなっている。１対の保持スリット１１，１１は、スリット側面１１ａ，１１ａを平行にして開口部１１ｄ，１１ｄが対向するように配置され、上方連結部１２および下方連結部１３によって相互に架橋され連結されている。この際、スリット側面１１ａ，１１ａの間の面間隔は、レベルスタッフの幅と略等しくされている。ここで、各スリット前面１１ｂとスリット後面１１ｃの間の面間隔および１対のスリット側面１１ａ，１１ａの間の面間隔について、レベルスタッフの厚さおよび幅と略等しいとは、１対の保持スリット１１，１１の間にレベルスタッフを無理なく挿入できる程度に大きく、かつ、現場記録写真において許容される誤差の範囲でレベルスタッフを設置面に対して垂直に保持できる程度に小さいことを指す（図４参照）。また、スリット前面１１ｂ（およびスリット後面１１ｃ）の幅（左右方向の長さ）は、挿入したレベルスタッフを安定に保持できる程度に大きく、かつ挿入したレベルスタッフの目盛りの読み取りを妨げない程度に小さく設定されている。
【００１８】
下方連結部１３は、平板状の部材であり、１対の保持スリット１１，１１のスリット後面１１ｃ，１１ｃに、下端が一致するように接合されている。上方連結部１２は、断面コの字形の部材であり、対向する上方連結部側面１２ｂ，１２ｂの前端縁において、保持スリット１１，１１のスリット後面１１ｃ，１１ｃに接合されている。上方連結部後面１２ａは、スリット前面１１ｂ，１１ｂおよびスリット後面１１ｃ，１１ｃと略平行になっている。そして、上方連結部後面１２ａの中央部には、ねじ穴１４が貫通形成されている。そして、このねじ穴１４に、蝶ねじ１５が背面側から挿入されている。蝶ねじ１５は、少なくとも１対のスリット後面１１ｃ，１１ｃがなす面に到達可能な長さを有している。
【００１９】
設置部２０は、略矩形の平板状の部材である。そして、設置部２０の前端部中央には、設置部２０を構成する板材が除去された切欠き２１が形成されている。切欠き２１は、１対の保持スリット１１，１１に囲まれた空間の断面と略同一形状に形成されている。つまり、切欠き２１は、レベルスタッフの断面と略同一の形状に形成されている。
【００２０】
保持部１０と設置部２０は、スプリング蝶番３０によって、相互に回動可能に結合されている。スプリング蝶番３０は、１対の羽根がトーションばねを介して結合されたものであり、１対の羽根が０°から９０°の範囲で相互に回動可能とされ、かつ９０°に開いた状態に付勢されている。そして、スプリング蝶番３０の１対の羽根にそれぞれ保持部１０の背面と設置部２０の上面が結合されている。これにより、保持部１０が、図６のように設置部２０に対してほぼ平行に重なるように背面側に倒れた０°の状態から、図１〜３のように設置部２０に対して９０°に立ち上がった状態にまで、回動可能となっている。そして、保持部１０が、設置部２０に対して９０°に立ち上がった状態に付勢されている。設置部２０に対する保持部１０の取り付け位置は、保持部１０が設置部２０に対して９０°に立ち上がった状態で、保持スリット１１，１１および下方連結部１３の下端面の位置が設置部２０の上面に当接するように、かつ、スリット後面１１ｃ，１１ｃ、スリット側面１１ａ，１１ａのそれぞれ開口部１１ｄ，１１ｄに面する側の面の位置が、切欠き２１の端縁の位置と一致するように設定されている。
【００２１】
保持部１０の一方のスリット後面１１ｃおよび設置部２０の上面には、図３，５のように保持部１０を設置部２０と略平行になる状態に倒した状態で相互に対向する位置に、１対のボールキャッチを構成する突出部材３５と受容部材３６がそれぞれ取り付けられている。ボールキャッチにおいて、突出部材３５の突出部３５ａが受容部材３６の溝状の受容部３６ａに嵌入され、受容部３６ａの壁面が弾性変形することで、受容部３６ａ内で突出部３５ａが弾性的に挟圧保持される。突出部材３５と受容部材３６の間の係合による保持力は、スプリング蝶番３０による付勢力よりも大きく設定されており、図５のように保持部１０を背面側に倒した状態に維持可能である。
【００２２】
本写真用スタッフ立具１は、レベルスタッフを安定に保持できる強度と寸法安定性があれば、どのような材料より構成されてもかまわない。保持部１０および設置部２０を構成する材料として、電気亜鉛めっき鋼板（ＳＥＣＣ）等の鋼材を例示することができる。
【００２３】
本写真用スタッフ立具１においては、スプリング蝶番３０による付勢によって、設置部２０に対して保持部１０が９０°に立ち上がった状態が安定に保持される。その状態で、設置部２０を地面等の設置面に載置すれば、保持部１０が設置面から垂直に立ち上がる。そして、図４のように、目盛りのついた面を正面側に向けてレベルスタッフＬを保持部１０の１対の保持スリット１１，１１の間に形成された空間に挿入すれば、レベルスタッフＬを設置面に立てた状態で支持することができる。そして、背面から挿入した蝶ねじ１５をレベルスタッフＬに当接させ、スリット前面１１ｂ，１１ｂに対して押しつけるようにすることで、保持スリット１１，１１内でのレベルスタッフＬの保持を安定させることができる。ここで、各スリット前面１１ｂとスリット後面１１ｃの間の面間隔および１対のスリット側面１１ａ，１１ａの間の面間隔が、レベルスタッフＬの厚さおよび幅にそれぞれ略等しく形成されていることから、許容される誤差の範囲内でレベルスタッフＬが設置面に垂直に立ち上がった状態となる。また、設置部２０の前端部にレベルスタッフＬの断面と略同一形状の切欠き２１が形成されていることから、レベルスタッフＬの下端部は設置面に直接接触するので、設置面からの正確な高さを読み取ることが可能となる。
【００２４】
このように、本写真用スタッフ立具１を用いれば、人間が手等でレベルスタッフＬを支えることなく、レベルスタッフＬを設置面に垂直に立てておくことができる。レベルスタッフＬは保持部１０によって四方から支持されており、さらに蝶ネジ１５によって押圧されているので、風等の力を受けても、簡単には倒れない。これによって、人間がレベルスタッフＬを手で支える際の設置誤差を排除できるとともに、現場記録撮影を行う際に、レベルスタッフＬを支持するための人員を確保することが必要でなくなる。また、レベルスタッフＬを支持するための人員が現場記録写真に写りこまず、現場記録写真の視界を妨げないので、現場の状態を理解しやすい良好な現場写真を撮影することができる。現場記録撮影においては通常、３本あるいは５本というように、複数のレベルスタッフＬが同時に使用されるが、レベルスタッフＬの本数が多いほど、これらの効果は一層大きく発揮される。例えば、５本のレベルスタッフＬを使用して現場記録撮影を行う場合、レベルスタッフＬを人間が手で支持するとすれば、撮影者を含めて６人の人員が必要となるのに対し、本写真用スタッフ立具１を使用すれば、撮影者１人のみで現場記録撮影を行うことができ、大幅な人員削減と、それに伴う人件費の削減が可能となる。
【００２５】
また、本写真用スタッフ立具１においては、図５のように保持部１０を設置部２０と略平行に倒した状態に折りたたむことが可能であり、かつその状態をボールキャッチ３５，３６の係合によって保持可能である。これにより、保持部１０と設置部２０の間をコンパクトに折りたたんだ状態で写真用スタッフ立具１を収納および携行可能となる。すると、収納スペースが小さくて済むとともに、携行時の利便性が高くなる。
【００２６】
なお、上記実施形態においては、保持部１０と設置部２０の間がスプリング蝶番３０によって結合されたが、保持部１０と設置部２０を回動可能に結合できるものならば、どのような結合部材によって両者を結合してもよい。また、保持部１０と設置部２０の間を折りたたんだ状態に保持するためのボールキャッチのような係合部材は、必ずしも設けられる必要はなく、設けられる場合にも、ボールキャッチに限らず、ラッチ、フック、磁石等、相互に可逆的に係合可能な係合部材であれば、どのようなものでもかまわない。さらに、後述する写真用スタッフ立具セットを構成する左側用スタッフ立具２または右側用スタッフ立具３のように、保持部１０は必ずしも設置部２０の左右方向中央部に取り付けられなくてもよく、写真用スタッフ立具を設置する場所等に応じて、適宜その取り付け場所を変更すればよい。
【００２７】
＜写真用スタッフ立具セット＞
上記のような写真用スタッフ立具を複数用いて、写真用スタッフ立具セットを構成することができる。ここで、複数の写真用スタッフ立具のうち少なくとも一部において、設置部２０の異なる位置に保持部１０が取り付けられていることが好ましい。
【００２８】
図６に、そのような写真用スタッフ立具セットの一例を示す。写真用スタッフ立具セットは、図６（ａ）の左側写真用スタッフ立具２、図６（ｂ）の中央用スタッフ立具１、図６（ｃ）の右側用スタッフ立具３より構成される。３種の写真用スタッフ立具１，２，３は、設置部２０に対する保持部１０の左右方向の取り付け位置と、それに対応した設置部２０上の切欠き２１の形成位置においてのみ異なる。中央用スタッフ立具１は、上記で詳細に説明した図１〜５の写真用スタッフ立具１と同じものである。ここで、「左側」および「右側」とは、各写真用スタッフ立具１，２，３を正面側から見た左右に一致し、すなわち現場記録撮影の際の撮影者の側から見た左右に一致する。
【００２９】
上記のように、中央用スタッフ立具１においては、設置部２０の前方中央部に切欠き２１が形成され、保持部１０が結合されている。しかし、左側用スタッフ立具２においては、設置部２０の前方左端に切欠き２１が形成され、保持部１０が結合されている。一方、右側用スタッフ立具３においては、設置部２０の前方右端に切欠き２１が形成され、保持部１０が結合されている。
【００３０】
このような形状を有することで、左側用スタッフ立具２は、レベルスタッフＬを立てるべき位置の左側にあまりスペースがない時にレベルスタッフＬを立てるのに適している。また、右側用スタッフ立具３は、レベルスタッフＬを立てるべき位置の右側にあまりスペースがない時にレベルスタッフＬを立てるのに適している。このように、レベルスタッフを設置すべき位置に応じて、設置を行いやすいように、３種の写真用スタッフ立具１，２，３から適切なものを選択すればよい。
【００３１】
道路等の工事現場における記録撮影においては、図７のように、レベルスタッフを５本使用することが一般的である。つまり、道路Ｒの中央に配置された長いレベルスタッフＬ３を中心に、両脇に等間隔に２本の長いレベルスタッフＬ２，Ｌ４が配置され、さらにレベルスタッフＬ２，Ｌ４のすぐ両脇に、２本の短いレベルスタッフＬ１，Ｌ５が配置される。この際、中央のレベルスタッフＬ３および両端のレベルスタッフＬ１，Ｌ５を支持するのには、中央用スタッフ立具１，１，１を使用すればよい。そして、左側の長いレベルスタッフＬ２を支持するのには左側用スタッフ立具２を使用し、右側の長いレベルスタッフＬ４を支持するのには右側用スタッフ立具３を使用すればよい。レベルスタッフＬ１とレベルスタッフＬ２、レベルスタッフＬ４とレベルスタッフＬ５はそれぞれ近接しているので、このようにレベルスタッフＬ２，Ｌ４の支持にそれぞれ左側用スタッフ立具２、右側用スタッフ立具３を用いることで、レベルスタッフＬ１およびレベルスタッフＬ５を支持している中央用スタッフ立具１との間で、設置部２０，２０の間に重なりが生じることがない。
【００３２】
比較的幅が狭い道路等についての現場記録撮影においては、レベルスタッフが３本のみ使用される場合があるが、このような場合には、例えば中央用スタッフ立具１、左側用スタッフ立具２、右側用スタッフ立具３それぞれ１つずつよりなる写真用スタッフ立具セットを使用すればよい。さらに幅が狭い道路等の現場記録撮影においては、レベルスタッフが２本のみ使用される場合があるが、このような場合には、例えば、左側用スタッフ立具２と右側用スタッフ立具３それぞれ１本ずつよりなる写真用スタッフ立具セットを使用すればよい。
【００３３】
以上、本考案の実施形態について詳細に説明したが、本考案は上記実施形態に何ら限定されるものではなく、本考案の要旨を逸脱しない範囲で種々の改変が可能である。また、上記のような写真用スタッフ立具は、現場記録撮影用のみならず、測量用等としても応用可能である。
【符号の説明】
【００３４】
１                写真用スタッフ立具（中央用スタッフ立具）
２                左側用スタッフ立具
３                右側用スタッフ立具
１０              保持部
１１              保持スリット
１１ａ            スリット側面
１１ｂ            スリット前面
１１ｃ            スリット後面
１１ｄ            開口部
１２              上方連結部
１３              下方連結部
１４              ねじ穴
１５              蝶ねじ
２０              設置部
３０              スプリング蝶番
３５              （ボールキャッチの）突出部材
３６              （ボールキャッチの）受容部材
【図１】
0003185862.tif 000003
【図２】
0003185862.tif 000004
【図３】
0003185862.tif 000005
【図４】
0003185862.tif 000006
【図５】
0003185862.tif 000007
【図６】
0003185862.tif 000008
【図７】
0003185862.tif 000009
【図８】
0003185862.tif 000010